(57)【要約】ナビゲーションのための方法及び装置が開示される。少なくとも１つの実施形態において方法は、モデム接続を介して、ナビゲーション装置をサーバに接続する工程と、サーバから情報を受信する工程と、モデム接続を切断する基準が満たされるかどうかを判断する工程と、モデム接続を切断する基準が満たされると判断すると、代わりの接続を介してナビゲーション装置をサーバに接続する工程とを含む。少なくとも１つの実施形態においてナビゲーション装置は、ナビゲーション装置をサーバに接続するためのモデムと、サーバから情報を受信するための受信機と、モデムを介した接続を切断する基準が満たされるかどうかを判断するためのプロセッサと、ナビゲーション装置を前記サーバに接続するための代わりの接続装置であって、モデム接続を切断する基準が満たされるとプロセッサが判断すると用いられる代わりの接続装置（例えば組にされた移動電話接続のためのＢｌｕｅｔｏｏｔｈ装置）とを備える。
2010515907.tif 000002
【特許請求の範囲】
【請求項１】
モデム接続を介して、ナビゲーション装置をサーバに接続する工程と、
前記サーバから情報を受信する工程と、
前記モデム接続を切断する基準が満たされるかどうかを判断する工程と、
前記モデム接続を切断するための前記基準が満たされると判断すると、代わりの接続を介して前記ナビゲーション装置を前記サーバに接続する工程と、
を含むことを特徴とする方法。
【請求項２】
前記基準が満たされるかどうかを判断する工程は、前記ナビゲーション装置の地図情報に含まれるネットワークカバレージ情報を用いる工程を含むことを特徴とする、請求項１に記載の方法。
【請求項３】
前記基準が満たされるかどうかを判断する工程は、ネットワーク信号強度情報を用いる工程を含むことを特徴とする、請求項１又は２に記載の方法。
【請求項４】
前記モデムと前記代わりの接続との少なくとも一方を介して、前記ナビゲーション装置に情報をダウンロードする工程と、
前記モデムと前記代わりの接続との少なくとも一方を介して、前記サーバに情報をアップロードする工程と、
の少なくとも一方をさらに含むことを特徴とする、請求項１乃至３の何れか１項に記載の方法。
【請求項５】
前記アップロードする工程と前記ダウンロードする工程との少なくとも一方についての前記情報は、ＬＴＯ情報と、ナビゲーション装置類型若しくは区分と、交通情報と、地図情報とのうちの少なくとも１つを含むことを特徴とする、請求項４に記載の方法。
【請求項６】
前記代わりの接続を介して前記ナビゲーション装置を前記サーバへと接続する工程は、前記モデム接続の前記ネットワーク信号強度が閾値よりも低いと判断されると行われることを特徴とする、請求項４又は５に記載の方法。
【請求項７】
ＧＳＭとＣＤＭＡとの少なくとも一方によって、前記ナビゲーション装置は前記サーバに接続されることを特徴とする、請求項１乃至６の何れか１項に記載の方法。
【請求項８】
前記判断する工程は、前記サーバと、前記ナビゲーション装置の前記モデム及び前記代わりの接続のうちの少なくとも一方との間での接続の切り替えを管理するデフォルト参照ルールにアクセスする工程を含むことを特徴とする、請求項２乃至７の何れか１項に記載の方法。
【請求項９】
前記モデム接続を切断する基準が満たされるかどうかを判断する工程は、ネットワークの変更が起ころうとしていることと、ネットワークのカバレージが閾値よりも低下しようとしていることと、前記ナビゲーション装置の前記モデムのネットワークサービスの終了が差し迫っていることと、のうちの少なくとも１つを判断する工程を含むことを特徴とする、請求項１乃至８の何れか１項に記載の方法。
【請求項１０】
前記代わりの接続を介して前記ナビゲーション装置を前記サーバへと接続する工程は、前記ナビゲーション装置の前記モデムによるモデム接続から、前記ナビゲーション装置の外部のモデムを介した代わりのネットワーク接続へと切り替える工程を含むことを特徴とする、請求項９に記載の方法。
【請求項１１】
前記モデム接続を切断するための前記基準が満たされると判断すると、前記ナビゲーション装置の前記モデムのシャットダウン手順により前記モデム接続をシャットダウンする工程をさらに含み、
前記代わりの接続を介して前記ナビゲーション装置を前記サーバへと接続する工程が、前記シャットダウンする工程の後に前記ナビゲーション装置の外部のモデムによって開始されることを特徴とする、請求項２乃至１０の何れか１項に記載の方法。
【請求項１２】
前記代わりの接続は、前記ナビゲーション装置を、前記ナビゲーション装置の外部の装置のモデムに接続するためのＢｌｕｅｔｏｏｔｈ接続を含むことを特徴とする、請求項１１に記載の方法。
【請求項１３】
前記ナビゲーション装置の外部の前記装置の前記モデムのネットワーク・エリア・カバレージがデータ転送を可能にすると判断すると、前記ナビゲーション装置と前記サーバとの間でデータを転送する工程を含むことを特徴とする、請求項１０に記載の方法。
【請求項１４】
データがまず、前記ナビゲーション装置の前記モデムを介して、前記ナビゲーション装置と前記サーバとの間で転送され、
前記ナビゲーション装置の前記モデムがネットワーク・エリア・カバレージを提供しないと判断することと、ネットワークの変更が起ころうとしていると判断することとの少なくとも一方に基づいて、データ転送が前記代わりの接続に切り替えられることを特徴とする、請求項１３に記載の方法。
【請求項１５】
前記サーバと前記ナビゲーション装置との間でのデータ転送を限定する工程と、前記サーバと前記ナビゲーション装置との間でのデータ転送を制限する工程とのうちの少なくとも一方をさらに含むことを特徴とする、請求項１４に記載の方法。
【請求項１６】
データ転送を限定する工程とデータ転送を制限する工程との前記少なくとも一方は、地図更新情報及び位置履歴ファイルの少なくとも一方の転送を前記代わりの接続の間は限定する工程と、地図更新情報及び位置履歴ファイルの少なくとも一方の転送を前記代わりの接続の間は制限する工程との少なくとも一方を含むことを特徴とする、請求項１５に記載の方法。
【請求項１７】
前記モデム接続を切断する基準が満たされるかどうかを判断する工程は、前記ナビゲーション装置が位置する乗物の移動経路に沿ったネットワークの機能停止期間を減らすために、前記ナビゲーション装置の衛星位置を用いる工程を含むことを特徴とする、請求項２乃至１６の何れか１項に記載の方法。
【請求項１８】
前記判断する工程は、経路に沿ったモデム選択を計算する工程と、前記モデムの切断及び代わりの接続に先立ってモデム接続の切り替えを計画する工程とを含むことを特徴とする、請求項２乃至１７の何れか１項に記載の方法。
【請求項１９】
前記ナビゲーション装置から送信された前記情報は、前記ナビゲーション装置の類型区分を決定するために利用可能であることを特徴とする、請求項１３に記載の方法。
【請求項２０】
前記ナビゲーション装置の前記類型区分は、業務使用、民生使用、バイクでの使用、及び徒歩での使用のうちの少なくとも１つを含むことを特徴とする、請求項１９に記載の方法。
【請求項２１】
前記ナビゲーション装置の前記類型区分に基づいて、データ転送機能が調整されることを特徴とする、請求項１９に記載の方法。
【請求項２２】
請求項１乃至２１の何れか１項に記載の方法を実行するように構成されたナビゲーション装置であって、
前記ナビゲーション装置をサーバに接続するためのモデムと、
前記サーバから情報を受信するための受信機と、
前記モデムを介した前記接続を切断する基準が満たされるかどうかを判断するためのプロセッサと、
前記ナビゲーション装置を前記サーバに接続するための代わりの接続装置であって、前記モデムの前記接続を切断するための前記基準が満たされると前記プロセッサが判断すると用いられる代わりの接続装置と、
を少なくとも備えることを特徴とするナビゲーション装置。
【請求項２３】
前記モデムは前記ナビゲーション装置内のモデムであることを特徴とする、請求項２２に記載のナビゲーション装置。
【請求項２４】
前記モデムは前記ナビゲーション装置のアダプタ内のモデムであることを特徴とする、請求項２２に記載のナビゲーション装置。
【請求項２５】
前記代わりの接続装置は、前記ナビゲーション装置を前記ナビゲーション装置の外部の装置のモデムに接続するためのＢｌｕｅｔｏｏｔｈ接続を確立するための装置を含むことを特徴とする、請求項２２に記載のナビゲーション装置。
【請求項２６】
前記モデムと前記代わりの接続との少なくとも一方を介して、前記ナビゲーション装置に情報をダウンロードすることと前記サーバに情報をアップロードすることとの少なくとも一方を行うための送受信機をさらに備えることを特徴とする、請求項２２に記載のナビゲーション装置。
【発明の詳細な説明】
【技術分野】
【０００１】
本願は、概してナビゲーション方法及び装置に関する。
【背景技術】
【０００２】
ナビゲーション装置は伝統的には乗物の中で、又は徒歩時であってさえよいが、２地点間をナビゲーションするために用いられてきた。このような装置は乗物の中で用いられる時、例えば主に高速道路を使う経路に基づく、速い経路を計画することを最初に試みることが多い。このような経路は、経路に沿った移動の間の乗物の速度を最大化するように計画される。
【０００３】
しかしながらこのような移動の間、乗物は交通遅滞に遭遇することがよくあるだろう。すると、主に高速道路を含む経路に沿った移動さえも遅くしてしまう。従って、ナビゲーション装置はより洗練されたものとなり、交通遅滞を回避するナビゲーション経路を計画するために情報を受信し情報を用いることが可能となってきた。例えば交通カメラの位置を提供する、交通遅滞情報以外の他の追加の最新情報を提供する等の他のサービスもまたナビゲーション装置に利用可能となってきた。このような交通情報及び他の情報は、ナビゲーション装置と組み合わせられた移動電話を介したＢｌｕｅｔｏｏｔｈ又は他のデータ接続を介して提供されることができる。しかしながら移動電話接続のみを用いることによって、ナビゲーション装置のユーザは移動ネットワークのローミング及び他の課金を受けていた。
【発明の概要】
【０００４】
発明者は、モデム接続がナビゲーション装置内から用いられるならば、交通状況を計算するための、乗物の速度、乗物の速度低下他のデータに関するより正確なデータが受信されることができ、そうして現在の交通状況に関するより正確な情報がナビゲーション装置に対して与えられうることを見出した。さらに、交通及び他のサービスに関して、もしナビゲーション装置が主に内部モデム及び（例えば、ナビゲーション装置提供者／製造者と電話サービスプロバイダとによって交渉された価格で）予め取り決められたＳＩＭカードに主に頼ることで、ナビゲーション装置と組にされた移動電話を用いる時に以前には移動電話プロバイダによって取られる可能性があった追加のローミング及び他の課金が避けられうることを、発明者は見出した。最後に、可能な時にはモデム接続を維持することが好ましいであろうこと、例えばネットワークエリア変更のためにモデム接続が失われる時には、組にされた移動電話接続のような代わりの接続に切り替える能力を有するナビゲーションを提供することが有益であるだろうことをまた、発明者は見出した。
【０００５】
本願の少なくとも１つの実施形態において、方法はモデム接続を介して、ナビゲーション装置をサーバに接続する工程と、前記サーバから情報を受信する工程と、前記モデム接続を切断する基準が満たされるかどうかを判断する工程と、前記モデム接続を切断するための前記基準が満たされると判断すると、代わりの接続を介して前記ナビゲーション装置を前記サーバに接続する工程と、を含む。
【０００６】
本願の少なくとも１つの実施形態において、ナビゲーション装置は前記ナビゲーション装置をサーバに接続するためのモデムと、前記サーバから情報を受信するための受信機と、前記モデムを介した前記接続を切断する基準が満たされるかどうかを判断するためのプロセッサと、前記ナビゲーション装置を前記サーバに接続するための代わりの接続装置であって、前記モデムの前記接続を切断するための前記基準が満たされると前記プロセッサが判断すると用いられる代わりの接続装置（例えば組にされた移動電話接続のためのＢｌｕｅｔｏｏｔｈ装置）とを備える。
【０００７】
本発明の少なくとも１つの実施形態において、ナビゲーション装置は、モデム接続を介してナビゲーション装置をサーバに接続するための手段と、サーバから情報を受信するための手段と、モデム接続を切断する基準が満たされるかどうかを判断するための手段と、前記モデム接続を切断するための前記基準が満たされると判断すると、代わりの接続装置を介して前記ナビゲーション装置を前記サーバに接続するための手段とを備える。
【０００８】
例としての実施形態を用いて、以下で本願がより詳細に説明される。実施形態は、図面の助けによって説明される。
【図面の簡単な説明】
【０００９】
【図１】全地球測位システム（ＧＰＳ）の一例を示す図である。
【図２】本願の実施形態のナビゲーション装置の電子構成要素の一例を示すブロック図である。
【図３】本願の一実施形態のサーバ、ナビゲーションデバイス、及びそれらの間の接続の一例を示すブロック図である。
【図４Ａ】、
【図４Ｂ】ナビゲーションデバイス２００の一実施形態の実際の実施例の、斜視図である。
【図５】ナビゲーション装置のモデム及びＳＩＭカードを図示する例としての実施形態である。
【図６】本願の実施形態を示すフローチャートである。
【発明を実施するための形態】
【００１０】
本明細書で用いられる用語は、特定の形態を説明することのみを目的としており、本発明を制限することは意図していない。本明細書で用いられる時、単数形”ａ”、”ａｎ”、及び”ｔｈｅ”は、その文脈が他に明確に示されていない限り、複数形も含むことが意図されている。さらに、「含む（ｉｎｃｌｕｄｅｓ及び／又はｉｎｃｌｕｄｉｎｇ）」という用語は、本明細書で用いられる時には、述べられた特徴、整数、工程、動作、要素、及び／又は構成要素の存在を特定するために使われるが、他の１以上の特徴、整数、工程、動作、要素、及び／又は構成要素、又は以上からなる群の存在又は追加を排除しないことが理解されるだろう。
【００１１】
図面に示される例としての実施形態を説明する際に、明確にする目的のために特定の用語が用いられる。しかしながら、本発明の明細書の開示が選択された特定の用語に限定されることは意図されていない。また、それぞれの特定の要素が、同様の方法で動作する全ての技術的均等物を含むことが理解されるだろう。
【００１２】
類似の参照番号がいくつかの図を通して同一の又は対応する部分を示す図面を参照して、以下で本願の例としての実施形態が説明される。類似の番号は、全体を通して類似の要素を示す。本明細書で用いられる時、「及び／又は（ａｎｄ／ｏｒ）」との用語は、１以上の関連して列挙されたアイテムの任意の及び全ての組み合わせを含む。
【００１３】
図１は、本願の実施形態のナビゲーション装置を含むナビゲーション装置により使用可能な全地球測位システム（ＧＰＳ）の一例を示す図である。そのようなシステムは周知であり、種々の目的に使用される。一般に、ＧＰＳは、連続的な位置、速度、時間及びいくつかの例においては方向情報を無数のユーザに対して判定できる衛星無線ナビゲーションシステムである。
【００１４】
以前はＮＡＶＳＴＡＲとして周知であったが、ＧＰＳは極めて正確な軌道で地球と共に動作する複数の衛星を使用する。これらの正確な軌道に基づいて、ＧＰＳ衛星は、それらの場所を任意の数の受信装置に中継できる。ＧＰＳデータを受信する能力を特別に備える装置がＧＰＳ衛星信号に対する無線周波数の走査を開始する場合、ＧＰＳシステムは実現される。ＧＰＳ衛星から無線信号を受信すると、装置は、複数の異なる従来の方法のうちの１つを用いて、その衛星の正確な場所を判定する。殆どの例において、装置は、少なくとも３つの異なる衛星信号を取得するまで信号の走査を継続する（尚、位置は、通常は２つの信号のみでは判定されないが、他の三角測量技術を使用して２つの信号から判定することもできる）。幾何学的三角測量を実現する場合、受信機は、３つの既知の位置を利用して、衛星に対する自身の２次元位置を判定する。これは、周知の方法で行われる。更に、第４の衛星信号を取得することにより、受信装置は、同一の幾何学計算によって周知の方法でその３次元位置を計算できる。位置及び速度データは、無数のユーザにより連続的にリアルタイムで更新可能である。
【００１５】
図１に示すように、ＧＰＳシステム全体を参照番号１００で示す。複数の衛星１２０は、地球１２４の周囲の軌道上にある。各衛星１２０の軌道は、他の衛星１２０の軌道と必ずしも同期せず、実際には非同期であることが多い。本願の一実施形態のナビゲーション装置において利用可能なＧＰＳ受信機１４０は、種々の衛星１２０からスペクトル拡散ＧＰＳ衛星信号１６０を受信するように示される。
【００１６】
各衛星１２０から連続的に送信されるスペクトル拡散信号１６０は、極めて正確な原子時計を用いて達成される非常に正確な周波数標準を利用する。各衛星１２０は、そのデータ信号送信１６０の一部として、その特定の衛星１２０を示すデータストリームを送信する。一般に、ＧＰＳ受信機１４０が三角測量によりその２次元位置を計算するために、ＧＰＳ受信機１４０は少なくとも３つの衛星１２０からスペクトル拡散ＧＰＳ衛星信号１６０を取得するが当業者には理解される。更なる信号を取得すると、全部で４つの衛星１２０から信号１６０を取得する結果となり、これによってＧＰＳ受信機１４０は、その３次元位置を周知の方法で計算できる。
【００１７】
図２は、本願の一実施形態のナビゲーション装置２００の電子構成要素の一例を、ブロック構成要素の形式で示すブロック図である。尚、ナビゲーション装置２００のブロック図は、ナビゲーション装置の全ての構成要素を含むものではなく、構成要素の多くの例を表すにすぎない。
【００１８】
ナビゲーション装置２００は、筐体（不図示）内に位置付けられる。筐体は、入力装置２２０及び表示画面２４０に接続されるプロセッサ２１０を含む。入力装置２２０は、キーボード装置、音声入力装置、タッチパネル及び／又は情報を入力するために利用される他の任意の周知の入力装置を含むことができ、表示装置２４０は、例えばＬＣＤディスプレイ等の任意の種類の表示画面を含むことができる。本願の少なくとも１つの実施形態において、入力装置２２０及び表示装置２４０は、タッチパッド又はタッチスクリーン入力を含む一体型入力表示装置に一体化され、その場合、ユーザは、複数の表示選択肢のうちの１つを選択するか又は複数の仮想ボタンのうちの１つを操作するために、表示装置２４０の一部分に接触するだけでよい。
【００１９】
更に、他の種類の出力装置２６０は可聴出力装置を含むことができるが、これに限定されない。出力装置２６０がナビゲーション装置２００のユーザに対して可聴情報を生成できるため、同様に、入力装置２４０は入力音声コマンドを受信するマイク及びソフトウェアを更に含むことができると理解される。
【００２０】
ナビゲーション装置２００において、プロセッサ２１０は、接続を介して入力装置２４０に動作可能に接続され且つ入力装置２４０から入力情報を受信するように設定される。また、プロセッサ２１０は、情報を出力するために、表示装置２４０及び出力装置２６０のうちの少なくとも一方に接続を介して動作可能に接続される。更に、プロセッサ２１０は、接続を介してメモリ２３０に動作可能に接続され、接続を介して入出力（Ｉ／Ｏ）ポート２７０との間で情報を送受信するように更に構成される。この場合、Ｉ／Ｏポート２７０は、ナビゲーション装置２００の外部のＩ／Ｏ装置２８０に接続可能である。外部Ｉ／Ｏ装置２７０は、例えばイヤホン等の外部聴音装置を含んでもよいが、これに限定されない。更に、Ｉ／Ｏ装置２８０への接続は、例えばハンズフリー動作及び／又は音声起動動作のため、イヤホン又はヘッドフォンへの接続のため、並びに／あるいは例えば移動電話への接続のためのカーステレオユニット等の他の任意の外部装置への有線接続又は無線接続であることもできる。この場合、移動電話接続は、ナビゲーション装置２００とインターネット又は例えば他の任意のネットワークとの間のデータ接続を確立するため及び／又はインターネット又は例えば他の任意のネットワークを介するサーバへの接続を確立するために使用されてもよい。
【００２１】
少なくとも１つの実施形態においてナビゲーション装置２００は、プロセッサ２１０及びメモリ２３０に接続された、後に説明されるようなデータ接続を確立するための内部モデム２９０を含む。モデム２９０はさらに、サーバ３０２へ情報を送信し、サーバ３０２から情報を受信するための送受信機３００に接続されていてもよい。送受信機３００はプロセッサ２１０にさらに接続される。
【００２２】
ナビゲーション装置２００は、少なくとも１つの実施形態において、デジタル接続（例えば、周知のBluetooth技術を介するデジタル接続）を確立する、非図示の外部の移動装置（移動電話、ＰＤＡ及び／又は移動電話技術を用いる任意の装置等）を介して、サーバ３０２との「モバイル」ネットワーク接続を確立してもよい。そうして、そのネットワークサービス・プロバイダを介して、移動装置は、サーバ３０２とのネットワーク接続を（例えば、インターネットを介して）確立できる。そのため、「モバイル」ネットワーク接続は、情報に対する「リアルタイム」又は少なくとも非常に「最新」のゲートウェイを提供するために、ナビゲーション装置２００（単体で及び／又は車載走行時に移動可能であり且つ多くの場合移動している）とサーバ３０２との間に確立されてもよい。
【００２３】
例えばインターネットを使用して、移動装置（サービスプロバイダを介する）とサーバ３０２等の別の装置との間にネットワーク接続を確立することは、周知の方法で行われる。これは、例えばＴＣＰ／ＩＰ階層プロトコルの使用を含む。移動装置は、ＣＤＭＡ、ＧＳＭ、ＷＡＮ等の任意の数の通信規格を利用できる。そのため、例えば移動電話又はナビゲーション装置２００内の移動電話技術を介するデータ接続を介して達成されるインターネット接続が利用されてもよい。この接続の場合、サーバ３０２とナビゲーション装置２００との間のインターネット接続が確立される。これは、例えば、移動電話又は他の移動装置及びＧＰＲＳ（汎用パケット無線サービス）接続（ＧＰＲＳ接続は、通信会社により提供される移動装置用高速データ接続であり、ＧＰＲＳはインターネットへの接続方法である）を介して行われる。
【００２４】
ナビゲーション装置２００はさらに、移動装置とのデータ接続を、結果的にはインターネット及びサーバ３０２との接続を、例えば既存のＢｌｕｅｔｏｏｔｈ技術を用いて既知の方法で完成させてもよい。この時データプロトコルは、例えばＧＳＭ規格についてのデータプロトコル規格であるＧＳＲＭのような、どんな数の規格を用いることもできる。
【００２５】
ＧＲＰＳ電話設定の場合、移動電話の機種、製造業者等の常に変化する範囲と共に正しく動作するために、Bluetooth対応の装置が使用されてもよく、機種／製造業者専用設定は、例えばナビゲーション装置２００に格納されてもよい。以前の又は後に続くどんな実施形態において議論される方法によっても、この情報のために格納されたデータは更新されうる。
【００２６】
ナビゲーション装置２００は、ナビゲーション装置２００自体の内部にそれ自体の移動電話技術を含んでもよい（例えばアンテナを含み、その場合、ナビゲーション装置２００の内部アンテナが更に代わりに使用可能である）。ナビゲーション装置２００内の移動電話技術は、上述のような内部構成要素を含むことができ且つ／又は例えば必要な移動電話技術及び／又はアンテナを備える挿入可能なＳＩＭ（加入者識別モジュール）カードを含むことができる。そのため、ナビゲーション装置２００内の移動電話技術はモデム２９０と協調して、任意の移動装置の方法と同様の方法で、例えばインターネットを介して、ナビゲーション装置２００とサーバ３０２との間にネットワーク接続を同様に確立できる。このようなモデム２９０はナビゲーション装置２００の内部にあることもできるし、外部、例えばアダプタ内にあることもできる。２００７年１０月１０日に出願された、名称「向上したたばこ着火アダプタ」である米国出願番号１１／９０７，２５４を参照せよ。ここに、その全体が参照によって本明細書に組み込まれる。もしアダプタに位置するのならば、例えばアダプタが乗物に差し込まれると、電力がナビゲーション装置２００に供給されることができる。するとさらに、情報を送受信するために、モデム２９０はサーバ２００とのネットワーク接続の確立を開始させられることもできる。
【００２７】
図２は、プロセッサ２１０とアンテナ／受信機２５０との間の動作可能な接続を更に示す。この場合、アンテナ／受信機２５０は、例えばＧＰＳアンテナ／受信機であってもよい。参照番号２５０で示されるアンテナ及び受信機は、図示のために概略的に組み合わされるが、アンテナ及び受信機は、別個に位置する構成要素であってもよく、アンテナは、例えばＧＰＳパッチアンテナ又はヘリカルアンテナであってもよいことが理解されるだろう。
【００２８】
更に、図２に示す電子構成要素が従来の方法で電源（不図示）により電力を供給されることが当業者には理解されるだろう。当業者により理解されるように、図２に示す構成要素の異なる構成が本願の範囲内で考えられる。例えば、１つの実施形態において、図２に示す構成要素は、有線接続及び／又は無線接続等を介して互いに通信状態にあってもよい。従って、本願のナビゲーション装置２００の範囲は、ポータブル又はハンドヘルドナビゲーション装置２００を含む。
【００２９】
図３は、本願の一実施形態の汎用通信チャネル３１８を介する、本願のサーバ３０２及びナビゲーション装置２００の一例を示すブロック図である。通信チャネル３１８を介する接続が本発明のサーバ３０２とナビゲーション装置２００との間に確立される場合、本願のサーバ３０２及びナビゲーション装置２００は通信可能である（尚、そのような接続は、移動装置を介するデータ接続、インターネットを介するパーソナルコンピュータを介する直接接続、モデム２９０を介するデータ接続等である）。
【００３０】
サーバ３０２は、図示されていないかもしれない他の構成要素に加えて、メモリ３０６に動作可能に接続され且つ有線又は無線接続３１４を介して大容量データ記憶装置３１２に動作可能に更に接続されるプロセッサ３０４を含む。更に、プロセッサ３０４は、通信チャネル３１８を介してナビゲーション装置２００と情報の送受信を行うために、送信機３０８及び受信機３１０に動作可能に接続される。送受信される信号は、データ信号、通信信号及び又は他の伝搬信号を含んでもよい。サーバ３０２によって受信される情報は、ナビゲーション装置２００を収容する乗物の位置及び速度の変化に関する受信情報を含むことができるがこれには限定されない。サーバ３０２によって送られる情報は、ナビゲーション装置２００が位置する乗物の移動経路に従った、計算された交通情報及び／又はありうる遅滞に関する他の情報を含むことができるが、これには限られない。送信機３０８及び受信機３１０は、ナビゲーション装置２００の通信設計において使用される通信条件及び通信技術に従って選択又は設計されてもよい。尚、送信機３０８及び受信機３１０の機能は、信号送受信機３０９に組み合わされてもよい。
【００３１】
サーバ３０２は、大容量記憶装置３１２に更に接続される（又は、大容量記憶装置３１２を含む）。尚、大容量記憶装置３１２は、通信リンク３１４を介してサーバ３０２に結合されてもよい。大容量記憶装置３１２は、ナビゲーションデータ及び地図情報のストアを含む。また、大容量記憶装置３１２は、サーバ３０２とは別個の装置であってもよく、サーバ３０２に組み込まれてもよい。ナビゲーション装置２００は、概して３１８で示される任意の通信チャネルを介してサーバ３０２と通信するように構成され、図２に関して上述したように、プロセッサ、メモリ等を含み、更に、通信チャネル３１８を介して信号及び／又はデータを送出する送信機３２０及び受信する受信機３２２を含む。尚、これらの装置は、サーバ３０２以外の装置と通信するためにも使用される。更に、送信機３２０及び受信機３２２は、ナビゲーション装置２００の通信設計において使用される通信条件及び通信技術に従って選択又は設計され、送信機３２０及び受信機３２２の機能は、単一の送受信機３００に組み合わされてもよい。
【００３２】
サーバメモリ３０６に格納されるソフトウェアは、プロセッサ３０４に命令を提供し、サーバ３０２がナビゲーション装置２００に、ナビゲーション装置２００が位置する乗物の移動経路に従った、交通情報及び／又はありうる遅滞に関する他の情報を計算及び送信するようなサービスを提供できるようにする。サーバ３０２により提供される１つのサービスは、ナビゲーション装置２００からの要求の処理及び大容量データ記憶装置３１２からナビゲーション装置２００へのナビゲーションデータの送信を含む。本願の少なくとも１つの実施形態に従って、サーバ３０２により提供される別のサービスは、所望のアプリケーション（例えば、ナビゲーション装置２００が位置する乗物の移動経路に従った、交通情報及び／又はありうる遅滞に関する他の情報の計算）に対する種々のアルゴリズムを使用したナビゲーションデータの処理及びナビゲーション装置２００へのこれらの計算の結果の送出を含む。
【００３３】
一般に、通信チャネル３１８は、ナビゲーション装置２００とサーバ３０２とを接続する伝搬媒体又はパスを表す。本願の少なくとも１つの実施形態に従って、サーバ３０２及びナビゲーション装置２００の双方は、通信チャネルを介してデータを送信する送信機及び通信チャネルを介して送信されたデータを受信する受信機を含む。
【００３４】
通信チャネル３１８は、特定の通信技術に限定されない。更に、通信チャネル３１８は、単一の通信技術に限定されない。すなわち、チャネル３１８は、種々の技術を使用する複数の通信リンクを含んでもよい。例えば、少なくとも１つの実施形態に従って、通信チャネル３１８は、電気通信、光通信及び／又は電磁通信等のためのパスを提供するように構成されることができる。そのため、通信チャネル３１８は、電気回路、ワイヤ及び同軸ケーブル等の電気導体、光ファイバケーブル、コンバータ、無線周波数（ｒｆ）波、大気、空間等のうちの１つ又はそれらの組み合わせを含むが、それらに限定されない。少なくとも１つの実施形態において通信チャネル３１８はさらに、例えば、ルータ、中継器、バッファ、送信機及び受信機等の中間装置を含むことができる。
【００３５】
本願の少なくとも１つの実施形態に従うと、例えば通信チャネル３１８は、電話及びコンピュータネットワークを含む。更に、少なくとも１つの実施形態に従うと、通信チャネル３１８は、無線周波数、マイクロ波周波数、赤外線通信等の無線通信に適応できてもよい。更に、少なくとも１つの実施形態に従うと、通信チャネル３１８は衛星通信に適応できる。さらに、少なくとも１つの実施形態に従うと、通信チャネル３１８は複数の独立衛星システムに対応することができ、複数の周波数及び信号を取得することが可能なＧＰＳ受信機を含むことができる。（ＧＬＯＮＡＳＳ、ＧＰＳ２、ＧＰＳ２．５−３、ガリレオ及びチャイナサットを含むがこれらには限られない、差し迫った複数衛星システムの追加もカバーする。）
【００３６】
通信チャネル３１８を介して送信される通信信号は、所定の通信技術に必要とされるか又は望まれる信号を含むが、それらに限定されない。例えば、信号は、時分割多元接続（ＴＤＭＡ）、周波数分割多元接続（ＦＤＭＡ）、符号分割多元接続（ＣＤＭＡ）、グローバル・システム・フォー・モバイル・コミュニケーションズ(Global System for Mobile Communications)（ＧＳＭ）等のセルラ通信技術において使用されるように構成されてもよい。デジタル信号及びアナログ信号の双方が通信チャネル３１８を介して送信できる。本願の少なくとも１つの実施形態に従うと、これらの信号は、通信技術にとって望ましい変調信号、暗号化信号及び／又は圧縮信号であってもよい。
【００３７】
大容量データ記憶装置３１２は、所望のナビゲーション・アプリケーションのための十分なメモリを含む。大容量データ記憶装置３１２の典型例は、例えばハードドライブのような磁気データ記憶媒体、例えばＣＤ−Ｒｏｍのような光学記憶媒体、例えばフラッシュメモリのような電荷データ記憶媒体、分子メモリ等を含んでもよい。
【００３８】
本願の少なくとも１つの実施形態に従うと、サーバ３０２は、無線チャネルを介してナビゲーション装置２００によりアクセス可能なリモートサーバを含む。本願の少なくとも１つの他の実施形態に従うと、サーバ３０２は、ローカルエリアネットワーク（ＬＡＮ）、ワイドエリアネットワーク（ＷＡＮ）、仮想プライベートネットワーク（ＶＰＮ）等に位置するネットワークサーバを含んでもよい。
【００３９】
本願の少なくとも１つの実施形態に従うと、サーバ３０２は、デスクトップ又はラップトップコンピュータ等のパーソナルコンピュータを含んでもよく、通信チャネル３１８は、パーソナルコンピュータとナビゲーション装置２００との間に接続されるケーブルであってもよい。あるいは、パーソナルコンピュータは、ナビゲーション装置２００とサーバ３０２との間に接続されて、サーバ３０２とナビゲーション装置２００との間にインターネット接続を確立してもよい。あるいは、インターネットを介してナビゲーション装置２００をサーバ３０２に接続するために、移動電話又は他のハンドヘルド装置（及び／又はモデム２９０のようなモデム）がインターネットへの無線接続を確立してもよい。
【００４０】
ナビゲーション装置２００は、情報ダウンロードを介してサーバ３０２からの情報を与えられてもよい。情報は、ユーザがナビゲーション装置２００をサーバ３０２に接続する場合に周期的に更新されてもよく且つ／又は例えば無線移動接続装置及びＴＣＰ／ＩＰ接続を介してサーバ３０２とナビゲーション装置２００との間に接続がより継続して又は頻繁に確立される場合に更に動的に更新されてもよい。多くの動的計算のために、サーバ３０２内のプロセッサ３０４が大量の処理要求を処理するために使用されてもよい。しかし、ナビゲーション装置２００のプロセッサ２１０も同様に、多くの場合においてはサーバ３０２への接続に関係なく、多くの処理及び計算を処理できる。
【００４１】
サーバ３０２に接続された大容量記憶装置３１２は、ナビゲーション装置２００自身上で管理されることが可能であるよりもより多くのボリュームの、地図などを含む地図製作及び経路データを含むことができる。サーバ３０２は例えば、経路に沿って移動するナビゲーション装置２００の装置の大部分を、処理アルゴリズムのセットを用いて処理しても良い。さらに、メモリ３１２に格納された地図製作及び経路データが、もともとはナビゲーション装置２００によって受信された信号（例えばＧＰＳ信号）に基づいて動作することもできる。
【００４２】
本願の図２に示す様に、本願の一実施形態のナビゲーション装置２００はプロセッサ２１０、入力装置２２０、表示画面２４０を含む。少なくとも１つの実施形態において、入力装置２２０及び表示画面２４０は、例えばタッチパネルスクリーンを介して情報を（直接入力、メニュー選択などを介して）入力すること及び情報を表示することとの両方を可能にするために、一体型入力表示装置に統合される。このようなスクリーンは、当業者には周知のものであるように、例えばタッチ入力ＬＣＤスクリーンであってもよい。更に、ナビゲーション装置２００は、例えばオーディオ入力／出力装置などの、任意の更なる入力装置２２０及び／又は任意の更なる出力装置２４０を有しても良い。
【００４３】
図４Ａ及び図４Ｂは、ナビゲーション装置２００の一実施形態の実際の一実施例の斜視図を示している。図４Ａに示すように、ナビゲーション装置２００は、一体型入力表示装置２９０（例えばタッチパネル画面）と図２の他の構成要素（内蔵ＧＰＳ受信機２５０、マイクロプロセッサ２１０、電源、メモリシステム２２０などを含むがこれに限定されない）を含むユニットであっても良い。
【００４４】
ナビゲーション装置２００は、アーム２９２上に備え付けられても良い。このアーム２９２は、大きな吸着カップ２９４を用いて、車両のダッシュボード／窓／等に固定されても良い。このアーム２９２は、ナビゲーション装置２００がドッキング可能なドッキングステーションの非限定的な一例である。
【００４５】
図４Ｂに示すように、ナビゲーション装置２００は、例えば、アーム２９２に対してナビゲーション装置２９２をスナップ接続することで、ドッキングステーションのアーム２９２にドッキング若しくは接続することができる（これは単なる一例で、他に考え得るドッキングステーションへの接続の代替案は、本願の範疇内である）。図４Ｂにおける矢印で示すように、ナビゲーション装置２００は、アーム２９２上で回転可能である。ナビゲーション装置２００とドッキングステーションとの間の接続を解除するためには、例えば、ナビゲーションデバイス２００上のボタンを押下すればよい（これは単なる一例で、他に考え得るドッキングステーションからの分離の代替案は、本願の範疇内である）。
【００４６】
ナビゲーション装置２００は、少なくとも１つの実施形態において、デジタル接続（例えば、周知のBluetooth技術を介するデジタル接続）を確立する移動装置４００（移動電話、ＰＤＡ及び／又は移動電話技術を用いる任意の装置等）を介して、サーバ３０２との「モバイル」ネットワーク接続を確立してもよい。そうして、そのネットワークサービス・プロバイダを介して、移動装置４００は、サーバ３０２とのネットワーク接続を（例えば、インターネットを介して）確立できる。そのため、「モバイル」ネットワーク接続は、情報に対する「リアルタイム」又は少なくとも非常に「最新」のゲートウェイを提供するために、ナビゲーション装置２００（単体で及び／又は車載走行時に移動可能であり且つ多くの場合移動している）とサーバ３０２との間に確立される。例えばインターネット４１０を使用して、移動装置４００とサーバ３０２等の別の装置との間に（サービスプロバイダを介する）ネットワーク接続を確立することは、周知の方法で行われる。これは、例えばＴＣＰ／ＩＰ階層プロトコルの使用を含んでもよい。移動装置４００は、ＣＤＭＡ、ＧＳＭ、ＷＡＮ等の任意の数の通信規格を利用できる。そのため、例えば移動電話又はナビゲーション装置２００内の移動電話技術を介するデータ接続を介して達成されるインターネット接続が利用されてもよい。この接続の場合、サーバ３０２とナビゲーション装置２００との間のインターネット接続が確立される。これは、例えば、移動電話又は他の移動装置及びＧＰＲＳ（汎用パケット無線サービス）接続（ＧＰＲＳ接続は、通信会社により提供される移動装置用高速データ接続であり、ＧＰＲＳはインターネットへの接続方法である）を介して行われることができる。
【００４７】
ナビゲーション装置２００はさらに、移動装置４００とのデータ接続を、結果的にはインターネット４１０及びサーバ３０２との接続を、例えば既存のＢｌｕｅｔｏｏｔｈ技術を用いて既知の方法で完成させてもよい。この時データプロトコルは、例えばＧＳＭ規格についてのデータプロトコル規格であるＧＳＲＭのような、任意の数の規格を用いることもできる。
【００４８】
ナビゲーション装置２００は、ナビゲーション装置２００自身内の、自身の移動電話技術（例えばアンテナを含み、さらにはナビゲーション装置２００の内部アンテナが代わりに用いられることもできる）を含んでもよい。ナビゲーション装置２００内の移動電話技術は、上で明記したような内部構成要素を含むことができ、及び／又は必要な移動電話技術と例えばアンテナとの少なくとも一方を完備する、挿入可能なＳＩＭカード及びモデム２９０を含むことができる。そのため、ナビゲーション装置２００内の移動電話技術は、任意の移動装置４００の方法と同様の方法で、例えばインターネット４１０を介して、ナビゲーション装置２００とサーバ３０２との間にネットワーク接続を同様に確立できる。
【００４９】
ＧＲＰＳ電話設定の場合、移動電話の機種、製造業者の常に変化する範囲と共に正しく動作するために、Bluetooth対応の装置が使用されてもよく、機種／製造業者専用設定は、例えばナビゲーション装置２００に格納されてもよい。以前の又は後に続くどんな実施形態において議論される方法によっても、この情報のために格納されたデータは更新されうる。
【００５０】
本発明の一実施形態において、方法はモデム接続を介して、ナビゲーション装置２００をサーバ３０２に接続する工程と、サーバ３０２から情報を受信する工程と、モデム接続を切断する基準が満たされるかどうかを判断する工程と、モデム接続を切断する基準が満たされると判断すると、代わりの接続を介してナビゲーション装置２００をサーバ３０２に接続する工程とを含む。
【００５１】
本願の一実施形態においてナビゲーション装置２００は、ナビゲーション装置２００をサーバ３０２に接続するためのモデム２９０と、サーバ３０２から情報を受信するための受信機３２２と、モデム２９０を介した接続を切断する基準が満たされるかどうかを判断するためのプロセッサ２１０と、ナビゲーション装置２００をサーバ３０２に接続するための代わりの接続装置であって、モデム２９０の接続を切断する基準が満たされるとプロセッサ２１０が判断すると用いられる代わりの接続装置（例えば組にされた移動電話接続のためのＢｌｕｅｔｏｏｔｈ装置）とを備える。
【００５２】
本願の一実施形態において、ナビゲーション装置２００自身の移動電話技術は、ナビゲーション装置２００の内部に、又はナビゲーション装置２００の外部に、例えばアダプタに位置するモデム２９０を含むことができる。さらに、モデム２９０がサーバ３０２に接続することを可能とするために、（例えばＧＰＲＳデータトラフィックに対応する）ＳＩＭカードが、ナビゲーション装置２００に含まれることもできる。モデム２９０がナビゲーション装置２００の内部に位置する時、ナビゲーション装置２００とサーバ３０２との間のネットワーク・データ・トラフィックは、権限を持つ移動体通信事業者（ＭＮＯ）によって記録される。
【００５３】
少なくとも１つの実施形態において、ナビゲーション装置会社（例えばＴｏｍＴｏｍ）は、仮想移動体通信事業者（ＶＭＮＯ）として働いてもよく、個々のユーザはパッケージ（例えばサブスクリプション）内の無制限サービスに基づいて、そのナビゲーション装置会社にサービスに対する支払いをしてもよい。例えば、ユーザがナショナルパッケージに加入（サブスクライブ）しているのなら、モデム２９０を用いるナビゲーション装置２００及びユーザのアカウントに登録されたＳＩＭカードの間のデータサービスについてのデータトラフィックは（所定の最大値までの）無制限使用であってもよい。このように、ナビゲーション装置２００とサーバ３０２との間の接続は、ナビゲーション装置２００の電源を入れた後いつでも確立されることができる。
【００５４】
モデム２９０がナビゲーション装置２００の外部に位置する時は、ナビゲーション装置２００とサーバ３０２との間のネットワーク・データ・トラフィックが、クライアント又はユーザの移動体通信事業者によって記録されてもよく、例えばＳＩＭカードを用い、課金を行い、ナビゲーション装置会社によっては管理されない。そのような実施形態においては、ナビゲーション装置会社と移動体通信事業者（ＭＮＯ）との間には課金又は利用についての合意は取り決められない。
【００５５】
本願の一実施形態においては、一度ナビゲーション装置２００が購入され電源を入れられると、例えばナビゲーション装置２００を収容する乗物の移動経路に沿ったありうる遅滞に関する情報（例えば交通情報）のようなサービス情報をサーバ３０２から受け取ることを可能とするために、モデム２９０とサーバ３０２との間のデータ接続（例えばインターネット）が確立される。しかしながら、自動でサーバ３０２とのデータ接続が確立されるために、サーバ３０２は複数のナビゲーション装置２００から（既知の方法で測定された）速度及び位置の変化に関する情報をこうして受け取ることができる。従って、計算は概して既知の方法で行われるが、移動経路に沿ったありうる遅延に関する計算をより正確なデータを用いて行うことができる。移動装置によって受信された情報は、ＬＴＯ情報、交通情報、交通カメラ情報、最新の又は新しい地図情報等を含むことができるが、これらには限られない。
【００５６】
ナビゲーション装置２００によるどんな情報の受信も、接続が維持されている場合のみ起こることができる。ＳＩＭカード及び送受信機３００と協調してのモデム２９０を介した接続は、例えばナビゲーション装置２００と組にされた外部の移動デバイス内の外部モデムとのＢｌｕｅｔｏｏｔｈ接続よりも、例えば移動ネットワーク上の「ローミング」課金のようなありうる予想外の課金が避けられるという点でよいだろう。このような無線接続は他のどんな無線接続とも同じように低下した若しくは弱い信号強度の区域又はネットワークが変わる区域を免れず、サーバ３０２とのデータ情報転送が失敗する程度にまでモデム接続が失われる又は質が低下する。本発明者は、前もってこのような区域が検知されることができる又は予知できる程度に、本願の少なくとも１つの実施形態によって、モデム接続を切断し、代わりの接続を介してナビゲーション装置２００をサーバ３０２に接続する基準が満たされるかどうかを判断する方法が提供されることを発見した。
【００５７】
ナビゲーション装置２００内の及び／又はナビゲーション装置２００の外部の、例えばナビゲーション装置２００のアダプタに位置するモデム２９０を用いることによって、サーバ３０２から送信された情報がナビゲーション装置２００によって受信されうる。（本願を通して、「内部」又はナビゲーション装置モデム２９０は、ナビゲーション装置２００内のもの及び／又は例えば「自動車内」電力アダプタのようなナビゲーション装置２００のアダプタ内のものであってもよい。（例えば、米国特許出願番号１１／９０７，２４５を参照せよ。この出願の内容の全体が、参照として本明細書に組み込まれる。））一実施形態においてナビゲーション装置２００は、ナビゲーション装置２００のスイッチが入れられ、及び／又はアダプタを介して給電系統に接続されてすぐに、例えばモデム２９０を用いてＧＰＲＳ接続を確立することを試みてもよい。サーバ３０２へのネットワーク接続は、例えばモデム２９０のネットワーク接続のためのネットワークアドレスを確立するために、ナビゲーション装置２００に挿入されたＳＩＭカードを介して提供されることができる。
【００５８】
このようなＳＩＭカード及びモデム２９０は、図５においてナビゲーション装置２００内に示されている。例えばトラフィックサービスに加入するためにナビゲーション装置２００の製造者に支払われる固定料金と交換に、ユーザに対してＳＩＭカードが提供されることができる。（例えば、ナビゲーション装置製造者のＴｏｍＴｏｍは、ＴｏｍＴｏｍがナビゲーション装置の所有者に対してモデム２９０の接続を介した固定料金接続サービスを提供することを可能とする、例えばＶｏｄｏｐｈｏｎｅのようなネットワークサービス・プロバイダとの取り決めを有してもよい。）デフォルトでは、モデム２９０がナビゲーション装置２００の内部にあるのならば、装置の電源を入れるとモデム２９０は常にサーバ３０２とのネットワーク接続を確立することが可能であるだろう、及び／又は、もしモデム２９０がナビゲーション装置のアダプタに含まれているのならば、アダプタが乗物に接続されるとこのような接続を確立することが可能となるだろう。
【００５９】
サーバ３０２へのネットワーク接続は、例えばモデム２９０のネットワーク接続のためのネットワークアドレスを確立するために、ナビゲーション装置２００に挿入されたＳＩＭカードによって提供されることができる。本願の一実施形態において、ナビゲーション装置２００自身の移動電話技術は、ナビゲーション装置２００の内部に、又はナビゲーション装置２００の外部に、例えばアダプタに位置するモデム２９０を含むことができる。さらに、モデム２９０がサーバ３０２に接続することを可能とするために、（例えばＧＰＲＳデータトラフィックに対応する）ＳＩＭカードが、ナビゲーション装置２００に含まれることもできる。
【００６０】
一実施形態においては、ナビゲーション装置２００はさらに、ナビゲーション装置２００の内部に含むＳＩＭカードを介してプロセッサ２１０が判断すると、例えばＢｌｕｅｔｏｏｔｈ接続を介して組にされた移動デバイスを通して利用可能である、ナビゲーション装置２００をサーバ３０２に接続するための追加のモデムを含む。双方のモデムは、例えば主要な陸上データ技術であるＧＳＭ又はＣＤＭＡのような、陸上ネットワークデータ転送に特有の技術であってもよい。内部モデム２９０は例えば、陸上データ転送ネットワークの特定の帯域へのアクセスを可能とする、ＧＳＭ／ＧＰＲＳベースのモデムであってもよい。ナビゲーション装置の製造者は、地理的な位置、他の商業的及び非商業的な基準に基づく、信号周波数に関する判断を提供してもよい。さらに内部モデム２９０は、地上データ転送ネットワークの特定の帯域へのアクセスを可能とする、例えばＣＤＭＡ／１Ｘベースのモデムであってもよい。ナビゲーション装置の製造者は、地理的な位置、他の商業的及び非商業的な基準に基づく、信号周波数に関する判断を提供してもよい。
【００６１】
複数のモデム接続へのアクセスによって、ナビゲーション装置２００の内部と外部との双方において、ナビゲーション装置２００は地上データ転送ネットワークの特定の帯域のより広い選択肢への複数のアクセスを可能にすることができる。ナビゲーション装置の製造者は、内部デフォルトモデム２９０を提供してもよく、内部から外部へのモデム使用についての優先度シーケンシングだけでなく、地理的な位置、他の商業的及び非商業的な基準に基づく、信号周波数に関する外部の判断へのアクセスを許可してもよい。さらにプロセッサ２１０は、例えばナビゲーション装置２００の内部に含まれるＳＩＭカードを介して、内部から外部へのモデム使用についての製造者が提供する詳細な優先度シーケンシングを含むリストを決定するために用いられてもよい。このリストは、内部から外部へのモデム切り替えを管理するデフォルト参照ルールを含んでもよい。
【００６２】
モデム２９０がナビゲーション装置の内部に位置する時、ナビゲーション装置２００とサーバ３０２との間のネットワーク・データ・トラフィックは、権限を持つ移動体通信事業者（ＭＮＯ）によって記録される。内部での使用のために、ナビゲーション装置２００は例えば装置の製造者によって提供された特定のＳＩＭカードを用いても良い。このＳＩＭカードは、製造者によって提供されたＳＩＭカードをナビゲーション装置２００においてのみユーザが用いることができること、及びユーザは提供されたＳＩＭカードを他のＧＰＲＳ対応デバイスにおいて用いることができないことを保証するためのＡＮＴＩ−ＴＨＥＦＴ技術を用いてもよい。双方のシナリオにおいて、製造者が提供したナビゲーション装置２００と製造者が提供したＳＩＭカードの組み合わせのみが、所定のＩＰチャネルを介したモデム２９０によるサーバ２９０への通信チャネル接続を形成するために組み合わせられうる。
【００６３】
本実施形態において、ナビゲーション装置の製造者（例えばＴｏｍＴｏｍ）は仮想移動体通信事業者（ＶＭＮＯ）を務め、追加のコード及びＡＮＴＩ−ＴＨＥＦＴファースト・タイム・ユース・スタートアップ・シーケンスを含むＴｏｍＴｏｍブランドのＳＩＭカードを個々のユーザは受け取ってもよい。さらにこのＳＩＭカードは、許可された移動通信体事業者（ＭＮＯ）のリストと、それらの優先度順序を含んでもよい。この順序は、好適なネットワーク使用及びデフォルトのネットワーク選択を決定してもよい。
【００６４】
このＳＩＭカードにはまた、製造者が提供した詳細な、内部から外部へのモデム使用についての優先度シーケンシングを含む別々のリストが含まれている可能性があってもよい。このリストはそして、内部から外部へのモデム切り替えと関連するルールを管理するデフォルトの参照リストであるかもしれない。
【００６５】
こうして、少なくとも１つの実施形態においてナビゲーション装置２００は、ナビゲーション装置２００の内部に含まれるＳＩＭカードを介して、及び地上ネットワークデータ転送に特有の技術を介して、ナビゲーション装置２００をサーバ３０２へと接続するためのモデム２９０を含む。少なくとも１つの実施形態において内部モデム２９０は、地上データ転送ネットワークの特定の帯域へのアクセスを可能とするＧＳＭ／ＧＰＲＳベースのモデムである。少なくとも１つの他の実施形態において内部モデム２９０は、地上データ転送ネットワークの特定の帯域へのアクセスを可能とするＣＤＭＡ／１Ｘベースのモデムである。どちらの実施形態においてもナビゲーション装置製造者は、地理的な位置、及び他の商業的若しくは非商業的基準に基づいて、信号周波数についての判断を提供してもよい。
【００６６】
モデム２９０がナビゲーション装置２００の外部に位置する時（例えばナビゲーション装置２００とＢｌｕｅｔｏｏｔｈ接続を介して組にされた別の移動デバイスに位置する時）ナビゲーション装置２００とサーバ３０２との間のネットワーク・データ・トラフィックは、ユーザの又はクライアントの移動通信体事業者（ＭＮＯ）の機能であってもよく、課金のためにＳＩＭカードを用いることができ、ナビゲーション装置の製造者によっては管理されないだろう。本実施形態においては、ネットワーク又はモデムの予めの決定、ナビゲーション装置の製造者及び移動体通信事業者（ＭＮＯ）の間での優先付けの型が存在するかもしれない。
【００６７】
内部から外部へのモデムの切り替えに関してプロセッサ２１０は、ナビゲーション装置２００の内部に含まれるＳＩＭカードを介して、内部から外部へのモデム２９０の使用についての例えば製造者が提供する詳細な優先度シーケンシングを含むリストを決定してもよい。このリストは、内部から外部へのモデム切り替えを管理するデフォルトの参照ルールを含んでいてもよい。
【００６８】
少なくとも１つの実施形態において、プロセッサ２１０の内部計算がネットワークの変更が起きようとしていること、例えばネットワークのカバレージが所定の信号レベルよりも低下しているか低下しようとしている、及び／又は内部ネットワークサービスの終了が差し迫って起こりそうな場合、を判断すると、内部のデフォルトのネットワーク接続と、（例えば移動電話／Ｂｌｕｅｔｏｏｔｈ接続を介した）外部の二次的なネットワーク接続との間での切り替えが実行されてもよい。ナビゲーション装置２００とサーバ３０２との間の内部モデム２９０を介したデータ転送情報は、例えばシャットダウン手順によって切断されることができ、新しい接続が例えばナビゲーション装置のアダプタに接続されたモデムを介して、及び／又はＢｌｕｅｔｏｏｔｈのような衰えた無線プロトコルを介したデータ通信、若しくは例えば第２のアダプタのモデムを介した直接の接続を介して、開始されることができる。このような実施形態において、プロセッサ２１０が外部モデムの（例えば移動電話／Ｂｌｕｅｔｏｏｔｈ接続を介した）ネットワーク・エリア・カバレージがデータ情報の転送を可能とするだろうと判断するとナビゲーション装置２００とサーバ３０２との間の情報を転送するための送受信機３００と、モデム２９０は協調して動作することができる。このような実施形態において、最初のスタートアップ手順でナビゲーション装置２００とサーバ３０２との間で転送された情報は内部モデム２９０に対する、そして内部モデムのネットワーク形式及びカバレージに対するデフォルトであってもよい。内部モデム２９０がカバレージを提供しない時、又は近づいているネットワークの変更が計画された経路上で起ころうとしている時は、ナビゲーション装置２００はデフォルトモデムから外部モデムへと切り替えるだろう。
【００６９】
例えばトラフィックサービスに加入するためにナビゲーション装置２００の製造者に支払われる固定料金と交換に、ユーザに対してＳＩＭカードが提供されることができる。（例えば、ナビゲーション装置製造者のＴｏｍＴｏｍは、ＴｏｍＴｏｍがナビゲーション装置の所有者に対してモデム２９０の接続を介した固定料金接続サービスを提供することを可能とする、例えばＶｏｄｏｐｈｏｎｅのようなネットワークサービス・プロバイダとの取り決めを有してもよい。）この契約においてＴｏｍＴｏｍのような製造者は、単純に個人よりも大きな購買力を有することによって、規模の経済の利点を得ることができ、コスト最適ネットワークシステム制約に影響を与えることができるだろう。ナビゲーション装置からサーバ機能への技術的属性により、このような機能についての内部データ使用及び関連するコストを、製造者は減らすことができる。
【００７０】
例えば、ブロックサイズの丸め、グループデータ・プーリング、及びセッション条件が、全て内部モデム使用を管理するルールにコーディングされることができる。デフォルトでは、モデム２９０がナビゲーション装置２００の内部にあるのならば、装置の電源を入れるとモデム２９０は常にサーバ３０２とのネットワーク接続を確立することが可能であるだろう、及び／又は、もしモデム２９０がナビゲーション装置のアダプタに含まれているのならば、アダプタが乗物に接続されるとこのような接続を確立することが可能となるだろう。
【００７１】
本願の一実施形態において、交通及び／又は車両の移動経路に沿ったありうる遅延に関する情報及び／又はユーザが受信するようにサブスクライブしている任意の他のネットワークサービス情報が、サーバ３０２によって送信されてもよく、続けて定期的にナビゲーション装置２００によって受信されてもよい。この情報の定期的な受信は、例えば３分毎であってもよい。情報はモデム２９０及び送受信機３００を介して送受信されてもよく、ここでデータのパケットはモデム２９０のＩＰアドレスに送受信される。モデム２９０は例えば、ＧＰＳとＧＰＲＳとの双方について二重に統合されていてもよい。例えばモデム２９０を介したナビゲーション装置２００とサーバ３０２との間の不断の接続を確立することにより、例えば乗物の位置及び速度の変化に関する情報のような情報が、交通又は他のありうる遅延に関する情報の受信と同時に、又は異なる時に、ナビゲーション装置２００からサーバ３０２へと送信されることができる。
【００７２】
さらに、このような情報はナビゲーション装置のモデム２９０を介して送受信されうるだけではなく、少なくとも１つの実施形態において代わりの接続が用いられることもできる。例えば図６は本願の一実施形態の方法を図示する。Ｓ６００で本願の一実施形態の方法は、モデム接続（例えばナビゲーション装置２００の中にある、ナビゲーション装置２００のアダプタ内にある、等であってもよいモデム２９０を用いる）を介してナビゲーション装置２００をサーバ３０２に接続する工程を含む。その後Ｓ６１０で、情報（ユーザが受信することを契約しているかもしれない交通又は任意の他のサービスサブスクリプション情報、ナビゲーション装置２００の電源を入れると装置の位置を迅速に決定することを可能とするＬＴＯファイル情報、地図情報等を含むがこれらには限られない）がサーバ３０２から受信される。
【００７３】
ナビゲーション装置２００の動作中、プロセッサ２１０はＳ６２０でモデム接続を切断する基準が満たされるかどうかを判断する。この判断は、例えば定期的な間隔で行われることができる。例えばプロセッサ２１０は、モデム２９０を介した良いデータ接続を維持するために必要とされる閾値よりも下に信号強度が落ちるかどうかを判断するために、ネットワーク信号強度情報を監視してもよい。代わりに基準が満たされたかどうかをプロセッサ２１０が判断する工程は、ナビゲーション装置２００の地図情報に含まれ又は埋め込まれたネットワークカバレージ情報を用いる工程を含んでもよい。
【００７４】
ナビゲーション装置２００の地図情報に含まれ又は埋め込まれたネットワークカバレージ情報に関して、本願の１つの実施形態において、ネットワークカバレージ及び使用類型情報が、例えばマップ・ベンダ・マップ属性に格納されてもよい。これらの属性は例えば一般のナビゲーションマップ属性に類似していていてもよく、例えば地図データ（属性）データベースの一部として、地理的に関連する区域のデータとして、例えばメモリ２３０に格納されることができる。このデータは、ベンダが供給したもの（Ｔｅｌｅ  Ａｔｌａｓ、ＮＡＶＴＥＱ等）、サードパーティが供給したもの（ＰＯＩ、Ｍａｐ  Ｄａｔａ  Ｖｅｎｄｏｒｓ）又は製造者が供給したもの（ＴｏｍＴｏｍ、Ｇａｒｍｉｎ等）であることができる。
【００７５】
一般に行われている実施例におけるのと同じように、マップ・ベンダが供給したデータは既に決まっているリリースメカニズムに含まれていることができ、全ての主要なナビゲーション品質のマップ・ベンダによって現在追従されているような四半期ごとのリリースサイクルに従うことができる。標準的であるように、このデータは拡大され、特定のナビゲーション装置及び／又は製造者に適合させられてもよい。さらに、一般に行われている実施例におけるのと同じように、サードパーティ及び製造者が供給したデータが、例えばマップ・ベンダが四半期毎のリリースサイクルでのナビゲーションマップ製品を公表した後で、加えられてもよい。このデータはまず蓄積され、そして照合され、地図属性形式に変えられ、ナビゲーションマップデータと組み合わせられて、拡大して特定のデバイス及び／又は製造者に適合させるステージにおける完全なデータセットを形成してもよい。この実施例において、四半期毎の更新と、空中を介した更新及び／又はデバイスがホームドックを介してホームコンピュータに接続された時の更新という一般に行われている方法を用いてナビゲーション装置２００のユーザがこの地図データを更新することとを、両方のシナリオは考慮する。
【００７６】
その後Ｓ６３０において、モデム接続を切断する基準が満たされるとプロセッサ２１０が判断すると、例えばナビゲーション装置２００と組にされた移動電話を介したＢｌｕｅｔｏｏｔｈ接続のような代わりの接続を介した、ナビゲーション装置２００からサーバ３０２への接続をプロセッサ２１０は指示することができる。
【００７７】
さらに、少なくとも１つの実施形態においてこの方法はさらに、モデム２９０と例えばＢｌｕｅｔｏｏｈ接続のような代わりの接続とのうちの少なくとも一方を介した、ナビゲーション装置２００に情報をダウンロードする工程と、サーバ３０２へ情報をアップロードする工程とのうちの少なくとも１つを含むことができる。アップロードとダウンロードとの少なくとも一方のための情報は、ＴＬＯ情報、交通情報、地図情報等のうちの少なくとも１つを含んでもよい。プロセッサ２１０はすると経路に沿った最適なモデム選択を計算し、予めモデムの切り替えを計画することができる。こうして、ネットワークデータ転送及び／又はエンド・ユーザ・コスト／可用性関数を最適化する。このような実施形態において、プロセッサ２１０が例えばデフォルトモデム２９０、例えば内部モデム２９０のネットワーク・エリア・カバレージがデータ情報転送を許容すると判断した際にナビゲーション装置２００とサーバ３０２との間で情報を転送するために、モデム２９０は送受信機３００と協調して動作することができる。
【００７８】
上で説明したようにＳ６２０において、プロセッサ２１０はモデム接続を切断する基準が満たされるかどうかを判断する。言い換えると、プロセッサ２１０は予めモデム接続が失敗する時を判断し、こうして代わりの接続がより好ましくはないにも関わらず代わりのものに切り替える方がよりよい時を判断する。
【００７９】
ナビゲーション装置２００内で、乗物の移動経路は例えばプロセッサ２１０によって、所望の目的地（例えばナビゲーション装置２００のユーザによって入力されたもの）と、乗物の現在の位置（例えばナビゲーション装置内のＧＰＳ／ＧＰＲＳ受信機によって決定される）との少なくとも一方に基づいて決定されることができる。その後、乗物の移動経路に沿ったありうる遅滞に関する情報の受信に続いて、ナビゲーション装置２００内のプロセッサ２１０は受信された情報に基づいて変更された移動経路を決定することができる。この経路情報はさらに、モデム接続を切断するための条件が満たされるかどうかを判断する際に、プロセッサ２１０によって用いられることができる。
【００８０】
少なくとも１つの実施形態において、送信された情報はナビゲーション装置２００の通常の動作で用いられてもよく、及び／又はサーバ３０２とナビゲーション装置２００との間の特定の機能を限定又は制限するさらなるルールが評価されてもよい。例えば、（例えば組にされた移動装置の）外部モデムを用いる時、ナビゲーション装置２００の内部モデム２９０に比べて使用は追加のネットワークカバレージを得るかもしれないが、コスト構造はデータ転送についてより高いかもしれない。このようにナビゲーション装置２００のユーザは、内部モデム２９０から例えば組にされた移動装置の外部モデムへの切り替えが起こると、地図の更新のようなより高いデータ要素又は位置履歴ファイルのダウンロード又は転送を望まないかもしれない。さらに、ナビゲーション装置２００のアイデンティティ及び意図された乗物の使用及びユーザタイプもまた、関連するＱＯＳ設定を決定するために用いられることができ、こうしてこれらの機能を質／コスト計算に、特に（データアクセス／ネットワーク・データ・コスト）に関連づける。するとＱＯＳは、区分毎に、数学的機能手順及び可用性を決定するためにプロセッサ２１０によって用いられることができる。
【００８１】
少なくとも１つの実施形態において、送信された情報をさらに決定し、乗物の移動経路に沿ったネットワークの機能停止期間を減らすために、衛星位置が用いられることができる。ＧＰＳチップセット計算は、ナビゲーション装置２００が計画された及び／又は予期されたネットワーク可用性を決定することを可能としてもよく、そうして内部モデム２９０と（例えば組にされたナビゲーション装置２００の）外部モデムとの間の予期されたモデムの切り替えに基づいてダウンロードを計画することを可能としてもよい。このことは、例えばナビゲーションマップ属性の追加の機能であり、ここでナビゲーションマップ・データのレイヤは、許可された地上データネットワーク（少なくとも１つの実施形態においては、特定の移動体通信事業者）の地理学的可用性に関する情報を含んでもよい。プロセッサ２１０はすると経路に沿った最適なモデム選択を計算し、予めモデムの切り替えを計画することができる。こうして、ネットワークデータ転送及び／又はエンド・ユーザ・コスト／可用性機能を最適化する。１つの非限定的な例として、このことは単純なルールに基づく管理システムを用いて行われることができる。ナビゲーション装置２００は内部モデム２９０のネットワークカバレージ内において、内部モデムのカバレージエリアを過ぎてから拡がる期間についての、（例えば）サーバ３０２からのＬＴＯファイルを要求することができる。このことはそして、例えばＬＴＯファイル要求頻度、ＬＴＯファイル長、及びＬＴＯファイルの地理的カバレージにおける、コスト／可用性で最適化された変形例を考慮することもできる。さらに、もしナビゲーション装置２９０のユーザが現在オランダにいて、スペインへのルートに入るならば、ナビゲーション装置２００はオランダ区域についての短いＬＴＯを要求すべきであり、ネットワーク・カバレージ・パラメータ（例えばコスト、ネットワークの変更までの近さ等）に応じて、ナビゲーション装置２００はスペイン区域についてのより長いファイルを要求することができる。ナビゲーション装置２００はこのようにＬＴＯファイルを管理することができ、最小限のネットワーク・データ・コストにまで減らすことができ、ＴｆＦＦ（タイム・トゥ・ファースト・フィックス）計算を最適化することができ、さらに受信した情報に基づいて正確に移動することができる。
【００８２】
少なくとも１つの実施形態において、例えば業務使用、民生使用（車両）、バイクでの使用、及び／又は歩行者の使用のためのナビゲーション装置２００のような、ナビゲーション装置２００の装置類型を判断すると、情報が送信されることもできる。内部モデム２９０のカバレージは既知の地点まで拡がっていてもよい。例えばマップ・ベンダ・ナビゲーションマップ属性の一部として、この地点を越えてこのような機能を広げることを、ナビゲーション装置２００の特定のユーザが望むこともできる。例えば業務ユーザ及びオーナーは、追跡及び記録機能を地上のデータ・カバレージ・エリアの全域に渡って広げることを望むかもしれない。さらに、もしナビゲーション装置２００のユーザが複数ネットワーク環境にいるのならば、ナビゲーション装置２００の使用類型区分に基づいて内部モデムから外部モデムへの動作の使用基準を設定するＱＯＳファイル設定が存在してもよい。ナビゲーション装置２００から取得されたデータはそして、増加した信号の可用性による向上した正確さ及び予知方法で、モデムの動作及び期待される追跡及び記録の可用性を判断するために用いられてもよい。
【００８３】
さらに、少なくとも１つの実施形態において、ナビゲーション装置２００とサーバ３０２との間のネットワーク・インタフェース・プロトコル［１０２２］接続が確立されると、プロトコルの一部として接続がモデム２９０及び例えばネットワーク接続類型で特定され、ナビゲーション装置２００からモデムへのデータ転送機能が接続類型の基準に最もよく適合するように調節されてもよい。
【００８４】
本願の少なくとも１つの実施形態において、上で表した少なくとも１つの実施形態の方法は、ナビゲーション装置２００として実装されてもよい。本願の一実施形態において、ナビゲーション装置２００は、ナビゲーション装置２００をサーバ３０２に接続するためのモデム２９０と；サーバ２００から情報を受信するための受信機３２０と；モデム２９０を介した接続を切断する基準が満たされるかどうかを判断するためのプロセッサ２１０と；ナビゲーション装置２００をサーバ３０２に接続するための代わりの接続装置であって、モデム２９０の接続を切断する基準が満たされるとプロセッサ２００が判断すると用いられる代わりの接続装置と、を備える。モデム２９０は、ナビゲーション装置２００の中及び／又はナビゲーション装置２００のアダプタの中のものであってもよい。代わりの接続装置は、例えば組にされた移動装置の外部モデムへの接続のためのＢｌｕｅｔｏｏｔｈ接続装置を含んでもよい。
【００８５】
さらに前述の方法の何れもが、プログラムの形で実現されることもできる。このプログラムはコンピュータが読み取り可能な媒体上に格納されてもよく、コンピュータ装置（プロセッサを含む装置）上で実行された場合に、前述の方法のうち任意のものを実行するように構成される。従って、記憶媒体又はコンピュータが読み取り可能な媒体は、情報を格納するように構成され、任意の上述の実施形態の方法を実行するため、データ処理機能又はコンピュータ装置と対話するように構成される。
【００８６】
記憶媒体は、コンピュータ装置の本体の中に設置された内蔵媒体であってもよいし、あるいはコンピュータ装置の本体から分離できるように配置された取り外し可能な媒体であってもよい。内蔵媒体の例には例えばＲＯＭやフラッシュメモリのような書き換え可能な不揮発性メモリ及びハードディスクが含まれるがそれらには限定されない。取り外し可能な媒体の例には、例えばＣＤ−ＲＯＭやＤＶＤのような光学記憶媒体と、例えばＭＯのような光磁気記憶媒体と、フロッピー（登録商標）ディスク、カセットテープ、リムーバブルハードディスクを含むがそれらに限定されない磁気記憶媒体と、内蔵の書き換え可能な不揮発性メモリを備えるメモリカードを含むがそれに限定されない媒体と、内蔵ＲＯＭを備えたＲＯＭカセットを含むがそれに限定されない媒体と、等が含まれるがそれらには限定されない。さらに、例えば属性情報のような格納された画像に関する各種の情報が、どんな他の形で格納されてもよいし、他の方法で提供されてもよい。
【００８７】
当業者なら本開示を読めば理解するであろうが、ナビゲーション装置２００の電子構成要素、及び／又はサーバ３０２の構成要素は、コンピュータハードウェア回路として、コンピュータが読み取り可能なプログラムとして、または両者の組み合わせとして、実現されることができる。
【００８８】
本願の実施形態のシステムおよび方法は、本願の教示に従う少なくとも１つの方法を実行するための、プロセッサ上で動作可能なソフトウェアを含む。当業者なら、ソフトウェアプログラムの中にある機能を実行するためのコンピュータを利用したシステムにおいて、コンピュータが読み取り可能な媒体からソフトウェアプログラムが起動されうるやり方を、本開示を読んで把握すれば理解するであろう。当業者であればさらに、本願の方法のうち少なくとも１つを実装して実行するように設計されたソフトウェアプログラムを作成するのに使用されうる各種のプログラミング言語を理解するであろう。
【００８９】
プログラムは、ＪＡＶＡ（登録商標）、Ｓｍａｌｌｔａｌｋ、Ｃ＋＋等を含むがそれらに限定されないオブジェクト指向言語を用いて、オブジェクト指向で構築されてもよいし、プログラムは、ＣＯＢＯＬ、Ｃ等を含むがそれらに限定されない手続き型言語を用いて手続き指向で構築されてもよい。ソフトウェアコンポーネントは、アプリケーション・プログラム・インタフェース（ＡＰＩ）と、レポート・プロシージャ・コール（ＲＰＣ）を含むがこれには限定されないプロセス間通信技術と、コモン・オブジェクト・リクエスト・ブローカ・アーキテクチャ（ＣＯＲＢＡ）と、コンポーネント・オブジェクト・モデル（ＣＯＭ）と、ディストリビューテッド・コンポーネント・オブジェクト・モデル（ＤＣＯＭ）と、ディストリビューテッド・システム・オブジェクト・モデル（ＤＳＯＭ）と、遠隔メソッド呼出し（ＲＭＩ）と、を含むがそれらには限定されない、当業者によく知られているどんな数の方法によってでも通信することができる。しかし、当業者なら本願の開示を読めば理解するであろうが、本願の教示は特定のプログラミング言語又は環境に限定されない。
【００９０】
精度、プロセッサの速さ、及びユーザとナビゲーション装置２００との対話等の容易さを向上させることに関して、上記のシステム、装置、及び方法が、限定することなく一例として説明された。さらに、本開示および添付の請求の範囲内で、例となる様々な実施形態の要素及び／又は機能が、相互に組み合わされたり、及び／又は相互に代用されたりしてもよい。
【００９１】
さらに、本願の上述した機能およびその他の例示する機能はいずれも、装置、方法、システム、コンピュータプログラム、及びコンピュータプログラム製品の形で実装されてよい。例えば、上述の方法は、図面に示された方法を行うための任意の構造を含むがそれに限定されないシステム又は装置の形で実装されてもよい。
【００９２】
例となる実施形態がこのように説明されたが、同じものが様々に変化されうることは明らかであろう。そのような変更は、本発明の精神及び範囲からの逸脱とはみなされるべきではなく、当業者には明らかであろうそのような変形はすべて、以下の請求の範囲内に含まれることが意図されている。
【図１】
2010515907.tif 000003
【図２】
2010515907.tif 000004
【図３】
2010515907.tif 000005
【図４Ａ】
2010515907.tif 000006
【図４Ｂ】
2010515907.tif 000007
【図５】
2010515907.tif 000008
【図６】
2010515907.tif 000009
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
モデム接続を介して、ナビゲーション装置をサーバに接続する工程と、
前記サーバから情報を受信する工程と、
前記モデム接続を切断する基準が満たされるかどうかを判断する工程と、
前記モデム接続を切断するための前記基準が満たされると判断すると、代わりの接続を介して前記ナビゲーション装置を前記サーバに接続する工程と、
を含むことを特徴とする方法。
【請求項２】
前記基準が満たされるかどうかを判断する工程は、前記ナビゲーション装置の地図情報に含まれるネットワークカバレージ情報を用いる工程を含むことを特徴とする、請求項１に記載の方法。
【請求項３】
前記基準が満たされるかどうかを判断する工程は、ネットワーク信号強度情報が閾値よりも低いことを用いる工程を含むことを特徴とする、請求項１又は２に記載の方法。
【請求項４】
前記モデムと前記代わりの接続との少なくとも一方を介して、前記ナビゲーション装置に情報をダウンロードする工程と、
前記モデムと前記代わりの接続との少なくとも一方を介して、前記サーバに情報をアップロードする工程と、
の少なくとも一方をさらに含み、
前記情報はＬＴＯ情報と、ナビゲーション装置類型若しくは区分と、交通情報と、地図情報とのうちの少なくとも１つを含むことを特徴とする、請求項１乃至３の何れか１項に記載の方法。
【請求項５】
ＧＳＭとＣＤＭＡとの少なくとも一方によって、前記ナビゲーション装置は前記サーバに接続されることを特徴とする、請求項１乃至４の何れか１項に記載の方法。
【請求項６】
前記判断する工程は、前記サーバと、前記ナビゲーション装置の前記モデム及び前記代わりの接続のうちの少なくとも一方との間での接続の切り替えを管理するデフォルト参照ルールにアクセスする工程を含むことを特徴とする、請求項２乃至５の何れか１項に記載の方法。
【請求項７】
前記モデム接続を切断する基準が満たされるかどうかを判断する工程は、ネットワークの変更が起ころうとしていることと、ネットワークのカバレージが閾値よりも低下しようとしていることと、前記ナビゲーション装置の前記モデムのネットワークサービスの終了が差し迫っていることと、のうちの少なくとも１つを判断する工程を含むことを特徴とする、請求項１乃至６の何れか１項に記載の方法。
【請求項８】
前記代わりの接続を介して前記ナビゲーション装置を前記サーバへと接続する工程は、前記ナビゲーション装置の前記モデムによるモデム接続から、前記ナビゲーション装置の外部のモデムを介した代わりのネットワーク接続へと切り替える工程を含むことを特徴とする、請求項７に記載の方法。
【請求項９】
前記モデム接続を切断するための前記基準が満たされると判断すると、前記ナビゲーション装置の前記モデムのシャットダウン手順により前記モデム接続をシャットダウンする工程をさらに含み、
前記代わりの接続を介して前記ナビゲーション装置を前記サーバへと接続する工程が、前記シャットダウンする工程の後に前記ナビゲーション装置の外部のモデムによって開始されることを特徴とする、請求項２乃至６の何れか１項に記載の方法。
【請求項１０】
前記代わりの接続は、前記ナビゲーション装置を、前記ナビゲーション装置の外部の装置のモデムに接続するためのＢｌｕｅｔｏｏｔｈ接続を含むことを特徴とする、請求項９に記載の方法。
【請求項１１】
前記ナビゲーション装置の外部の前記装置の前記モデムのネットワーク・エリア・カバレージがデータ転送を可能にすると判断すると、前記ナビゲーション装置と前記サーバとの間でデータを転送する工程を含むことを特徴とする、請求項８に記載の方法。
【請求項１２】
データがまず、前記ナビゲーション装置の前記モデムを介して、前記ナビゲーション装置と前記サーバとの間で転送され、
前記ナビゲーション装置の前記モデムがネットワーク・エリア・カバレージを提供しないと判断することと、ネットワークの変更が起ころうとしていると判断することとの少なくとも一方に基づいて、データ転送が前記代わりの接続に切り替えられることを特徴とする、請求項１１に記載の方法。
【請求項１３】
前記モデム接続を切断する基準が満たされるかどうかを判断する工程は、前記ナビゲーション装置が位置する乗物の移動経路に沿ったネットワークの機能停止期間を減らすために、前記ナビゲーション装置の衛星位置を用いる工程を含むことを特徴とする、請求項２乃至１２の何れか１項に記載の方法。
【請求項１４】
前記判断する工程は、経路に沿ったモデム選択を計算する工程と、前記モデムの切断及び代わりの接続に先立ってモデム接続の切り替えを計画する工程とを含むことを特徴とする、請求項２乃至１３の何れか１項に記載の方法。
【請求項１５】
前記ナビゲーション装置から送信された前記情報は、前記ナビゲーション装置の類型区分を決定するために利用可能であり、前記類型は業務使用、民生使用、バイクでの使用、及び徒歩での使用のうちの少なくとも１つであることを特徴とする、請求項１１に記載の方法。
【請求項１６】
前記ナビゲーション装置の前記類型区分に基づいて、データ転送機能が調整されることを特徴とする、請求項１５に記載の方法。
【請求項１７】
請求項１乃至１６の何れか１項に記載の方法を実行するように構成されたナビゲーション装置であって、
前記ナビゲーション装置をサーバに接続するためのモデムと、
前記サーバから情報を受信するための受信機と、
前記モデムを介した前記接続を切断する基準が満たされるかどうかを判断するためのプロセッサと、
前記ナビゲーション装置を前記サーバに接続するための代わりの接続装置であって、前記モデムの前記接続を切断するための前記基準が満たされると前記プロセッサが判断すると用いられる代わりの接続装置と、
を少なくとも備えることを特徴とするナビゲーション装置。
【請求項１８】
前記モデムは、前記ナビゲーション装置内のモデムと、前記ナビゲーション装置のアダプタ内の又は前記ナビゲーション装置に接続可能なモデムとのうちの少なくとも１つであることを特徴とする、請求項１７に記載のナビゲーション装置。
【請求項１９】
前記代わりの接続装置は、前記ナビゲーション装置を前記ナビゲーション装置の外部の装置のモデムに接続するためのＢｌｕｅｔｏｏｔｈ接続を確立するための装置を含むことを特徴とする、請求項１７に記載のナビゲーション装置。
【請求項２０】
前記モデムと前記代わりの接続との少なくとも一方を介して、前記ナビゲーション装置に情報をダウンロードすることと前記サーバに情報をアップロードすることとの少なくとも一方を行うための送受信機をさらに備えることを特徴とする、請求項１７に記載のナビゲーション装置。
【国際調査報告】
2010515907.tif 000010
2010515907.tif 000011